(57)【要約】【課題】  コストがかかることなく、従来同様、目視による被保険者個人の必要事項が確認できるとともに、発行主体や責任を明確にした上で、収納するカードに応じて複数の機能を共存させることができるようにすることを目的とする。【解決手段】  カードホルダ状の健康被保険者証は、一辺部側に開口部３を有するカードホルダ本体２を備える。合成樹脂製の袋状からなるカードホルダ本体２は、開口部３からＩＣカード１を挿入し、収容する略長方形状のものとされる。カードホルダ本体２の表面部には、収容されるＩＣカード１に記憶される被保険者の記号、番号、氏名、性別、生年月日などからなる健康保険の被保険者証としての必要事項が印刷やプリント等の方法により表示される（表面側表示部）。カードホルダ本体２の裏面部には、従来の紙の保険証と同様に交付を受ける被保険者証に対する注意事項と同様の注意事項が印刷等の方法により表示される（裏面側表示部）【選択図】  図１
2004181937.tif 000002
【特許請求の範囲】
【請求項１】
全体合成樹脂材にて形成される略長方形状の袋状とされ、一辺部に、内部にカードを収容するための開口部を有するカードホルダ本体を備え、略長方形状をなすカードホルダ本体の表面部に被保険者の記号、番号、氏名、性別、生年月日、保険者番号、保険者名などからなる健康保険の被保険者証としての必要事項を表示し、該カードホルダ本体の表示部をもって被保険者証としてなるカードホルダ状の健康保険被保険者証。
【請求項２】
カードホルダ本体の開口部の長手方向中心には、収容されるＩＣカードを保持可能とするための切欠凹部を備えることとした請求項１に記載のカードホルダ状の健康保険被保険者証。
【請求項３】
カードホルダ本体の表面部に表示される被保険者証としての必要事項は、合成樹脂製のカードホルダ本体の表面部にプリント表示され、該プリント表示された表示部表面には、透明な熱可塑性フィルムが熱溶着される請求項１に記載のカードホルダ状の健康被保険者証。
【請求項４】
略長方形状をなすカードホルダ本体の裏面部には、被保険者証の取扱注意事項がプリント表示される請求項１に記載のカードホルダ状の健康保険被保険者証。
【請求項５】
内部に収容されるカードは、被保険者並びに保険者の情報が記憶されるＩＣカード、磁気カードその他のカード状電子記憶媒体である請求項１に記載のカードホルダ状の健康保険被保険者証。
【請求項６】
カードホルダ本体の表示部に表示する被保険者証情報に基づいて、請求項１から請求項５に記載のカードホルダ状の健康保険被保険者証を発行する健康保険被保険者証発行手段
を具備することを特徴とする健康保険被保険者証発行管理システム。
【請求項７】
請求項１から請求項５に記載のカードホルダ状の健康保険被保険者証に収容されるカード状電子記憶媒体に前記被保険者証情報のキー情報を書き込む被保険者証情報書き込み手段
を具備することを特徴とする健康保険被保険者証発行管理システム。
【請求項８】
カードホルダ本体の表示部に表示する被保険者証情報に基づいて、請求項１から請求項５に記載のカードホルダ状の健康保険被保険者証を発行する健康保険被保険者証発行手段と、
前記健康保険被保険者証発行手段が発行する前記カードホルダ状の健康保険被保険者証に収容されるカード状電子記憶媒体に前記被保険者証情報のキー情報を書き込む被保険者証情報書き込み手段と
を具備することを特徴とする健康保険被保険者証発行管理システム。
【請求項９】
カードホルダ本体の表示部に表示する被保険者証情報に基づいて、請求項１から請求項５に記載のカードホルダ状の健康保険被保険者証を発行するとともに、
前記カードホルダ状の健康保険被保険者証に収容されるカード状電子記憶媒体に前記被保険者証情報のキー情報を書き込む
ことを特徴とする健康保険被保険者証発行管理方法。
【請求項１０】
前記カードホルダ状の健康保険被保険者証の発行状況を、自システム内の記憶手段において管理するとともに、
前記自システムと異なる外部システムである資格確認システム内の記憶手段において、前記カードホルダ状の健康保険被保険者証の発行状況に基づく被保険者資格の有効区分を管理する
ことを特徴とする請求項９に記載の健康保険被保険者証発行管理方法。
【請求項１１】
カードホルダ本体の表示部に表示する被保険者証情報に基づいて、請求項１から請求項５に記載のカードホルダ状の健康保険被保険者証を発行する処理と、
前記カードホルダ状の健康保険被保険者証に収容されるカード状電子記憶媒体に前記被保険者証情報のキー情報を書き込む処理と
をコンピュータに実行させるための健康保険被保険者証発行管理プログラム。
【請求項１２】
資格確認要求元の端末より受信する、カードホルダ状の健康保険被保険者証に収容されるカード状電子記憶媒体に書き込まれた被保険者識別情報及び該被保険者の資格確認要求に基づいて、該識別情報と紐付けられた保険者の識別情報を被保険者の振り分けテーブルより読み出し、該当する資格確認サーバに対して、資格確認要求を代理発行する手段と、
該資格確認要求に対する資格確認結果を受信すると、前記資格確認要求元の端末に対して返信する手段と
を具備することを特徴とする振り分けサーバ。
【請求項１３】
カードホルダ状の健康保険被保険者証の表示部に表示する被保険者証情報と、前記カードホルダ状の健康保険被保険者証に収容されるカード状電子記憶媒体に書き込まれた識別情報とを紐付けて格納するデータベースと、
資格確認要求元の端末より受信する、前記識別情報及び該被保険者の資格確認要求に基づいて、該識別情報と紐付けられた前記被保険者証情報を前記データベースより読み出し、該当する資格確認サーバに対して、資格確認要求を代理発行する手段と、
該資格確認要求に対する資格確認結果を受信すると、前記資格確認要求元の端末に対して返信する手段と
を具備することを特徴とするキー情報管理サーバ。
【発明の詳細な説明】
【技術分野】
【０００１】
本発明は、カードホルダ状の健康保健被保険者証、健康保険被保険者証発行管理システム、健康保険被保険者証発行管理方法及びそのプログラムに関する。
【背景技術】
【０００２】
健康保険被保険者証には、政府管掌健康保険、船員保険、日雇健康保険、国民健康保険、健康保険組合や共済組合が発行する健康保険など発行者別に様々な保険証が発行されるところである。こうした被保険者証（単に保険証ともいう）については、発行団体が被保険者の記号、番号、氏名、生年月日、保険者番号などの必要事項を印刷し、発行が行われるところであり、医療機関の保険料請求やレセプトの管理については保険証に記載された被保険者情報に基づき行われるところである。
【０００３】
ところで、こうした保険料請求やレセプト管理の事務は膨大とされ、各地方公共団体、保険組合における事務量の増加が懸念されているところであり、本願の発明者においてはこうした事務の効率化を図ることを目的に、保険料請求やレセプト管理の事務をネットワーク化し、被保険者が保有する保険証についてもＩＣカード化する提案を下記出願において行っている。
特許文献１の請求項２には、ＩＣカードに被保険者の個人識別情報を記憶する手段が記載されている。また、特許文献２には、冊子とＩＣカードを一体化するアイデアが記載されている。
【特許文献１】特開２００２−２３０１５６号公報
【特許文献２】特開平１１−３４８４７１号公報
【発明の開示】
【発明が解決しようとする課題】
【０００４】
ところで、このように従来、保険証に記載される必要事項に加えて、診察履歴、投薬履歴などの情報をＩＣカードに記憶させ、ＩＣカードを保険証の代わりに利用する実験が、現在一部市町村と健康保険組合、並びに医療機関の間で試験的に進められているところである。しかしＩＣカードは上記必要な情報が記憶されているものの、永年紙製の保険証に馴れてきた人々（特に高齢者）においては、ＩＣカード自体を保険証として利用していくのに相当な心理的抵抗が予想され、本願の出願人らをはじめ、保険証のＩＣカード化を実験する者にとって、予期せぬ事故やトラブルを危惧しているところである。
【０００５】
このような危惧から出願人らは、例えば下記先行文献に示されるように、冊子とＩＣカードを一体化したものを保険証とし、冊子の部分を保険証の本証とするアイデア、ＩＣカードの表面に被保険者の氏名、保険番号など必要事項を記載するアイデアなど、様々な試行錯誤を行っているところである。
【０００６】
しかし、こうしたアイデアのいずれもが、いずれもコストがかかるものとされ、コストがかからず、従来の紙の保険証のように、目視により個人の保険証としての必要な情報が確認され、かつ診察履歴、投薬履歴などの情報についても確認できる保険情報を記憶したカードの導入をスムーズに行える提案が待たれたところである。
【０００７】
また、カード発行コストの観点から、住民基本台帳カード等の他主体の発行するＩＣカード等に必要な情報を表示・記憶させ、このカードを保険証として利用する方法も考えられるが、この場合、カードの発行主体や責任等があいまいとなり問題が生じてくる。
【０００８】
本発明はこれらの要望、問題の解決のためになされたものであり、あくまでも該カードホルダ本体を被保険者証とすることに加え、これに収納する、必要な情報を表示・記憶させた他主体発行のカードを補助的な扱いとすることで、コストがかかることなく、かつ発行主体や責任を明確にすることができるものである。これにより従来同様、目視による被保険者個人の必要事項が確認できるとともに、収納するカードに応じて複数の機能を共存させることができるようにすることを第1の目的とするものである。
【０００９】
さらに、本発明は、このような事情を考慮してなされたものであり、その第２の目的は、カードホルダ状の健康保険被保険者証の発行管理、ＩＣカードへの被保険者証情報のキー情報の書き込み及びその管理を行う健康保険被保険者証発行管理システム、健康保険被保険者証発行管理方法及びそのプログラムを提供することにある。
【００１０】
さらに、本発明は、このような事情を考慮してなされたものであり、その第３の目的は、健康保険被保険者証発行管理システムによって発行された健康保険被保険者証と、ＩＣカードに書き込まれるキー情報の発行者、キー情報の発行形態に応じて、資格確認を安全で効率的に行うための振り分けサーバ、キー情報管理サーバを提供することにある。
【課題を解決するための手段】
【００１１】
上記目的を達成するため、本発明は全体合成樹脂材にて形成される略長方形状の袋状とされ、一辺部に、内部にカードを収容するための開口部を有するカードホルダ本体を備え、略長方形状をなすカードホルダ本体の表面部に被保険者の記号、番号、氏名、性別、生年月日、保険者番号、保険者名などからなる健康保険の被保険者証としての必要事項を表示し、該カードホルダ本体の表示部をもって被保険者証としてなるカードホルダ状の健康保険被保険者証としたものである。
【００１２】
また本発明の請求項２は、カードホルダ本体の開口部の長手方向中心には、収容されるＩＣカードを保持可能とするための切欠凹部を備えることとした請求項１に記載のカードホルダ状の健康保険被保険者証としたものである。
【００１３】
また本発明の請求項３は、カードホルダ本体の表面部に表示される被保険者証としての必要事項は、合成樹脂製のカードホルダ本体の表面部にプリント表示され、該プリント表示された表示部表面には、透明な熱可塑性フィルムが熱溶着される請求項１に記載のカードホルダ状の健康被保険者証としたものである。
【００１４】
さらに本発明の請求項４は、略長方形状をなすカードホルダ本体の裏面部には、被保険者証の取扱注意事項がプリント表示される請求項１に記載のカードホルダ状の健康保険被保険者証としたものである。
【００１５】
さらに本発明の請求項５は、内部に収容されるカードは、被保険者並びに保険者の情報が記憶されるＩＣカード、磁気カードその他のカード状電子記憶媒体である請求項１に記載のカードホルダ状の健康保険被保険者証としたものである。
【００１６】
また、請求項６に記載の発明は、カードホルダ本体の表示部に表示する被保険者証情報に基づいて、カードホルダ状の健康保険被保険者証を発行する健康保険被保険者証発行手段を具備することを特徴とする。
【００１７】
また、請求項７に記載の発明は、カードホルダ状の健康保険被保険者証に収容されるカード状電子記憶媒体に前記被保険者証情報のキー情報を書き込む被保険者証情報書き込み手段を具備することを特徴とする。
【００１８】
また、請求項８に記載の発明は、カードホルダ本体の表示部に表示する被保険者証情報に基づいて、カードホルダ状の健康保険被保険者証を発行する健康保険被保険者証発行手段と、前記健康保険被保険者証発行手段が発行する前記カードホルダ状の健康保険被保険者証に収容されるカード状電子記憶媒体に前記被保険者証情報のキー情報を書き込む被保険者証情報書き込み手段とを具備することを特徴とする。
【００１９】
また、請求項９に記載の発明は、カードホルダ本体の表示部に表示する被保険者証情報に基づいて、カードホルダ状の健康保険被保険者証を発行するとともに、前記カードホルダ状の健康保険被保険者証に収容されるカード状電子記憶媒体に前記被保険者証情報のキー情報を書き込むことを特徴とする。
【００２０】
また、請求項１０に記載の発明は、前記カードホルダ状の健康保険被保険者証の発行状況を、自システム内の記憶手段において管理するとともに、前記自システムと異なる外部システムである資格確認システム内の記憶手段において、前記カードホルダ状の健康保険被保険者証の発行状況及び前記カードホルダ状の健康保険被保険者証に収容されるカード状電子記憶媒体へのキー情報の書き込み状況に基づく被保険者資格の有効区分を管理することを特徴とする。
【００２１】
また、請求項１１に記載の発明は、カードホルダ本体の表示部に表示する被保険者証情報に基づいて、カードホルダ状の健康保険被保険者証を発行する処理と、前記カードホルダ状の健康保険被保険者証に収容されるカード状電子記憶媒体に前記被保険者証情報のキー情報を書き込む処理とをコンピュータに実行させるための健康保険被保険者証発行管理プログラムである。
【００２２】
また、請求項１２に記載の発明は、資格確認要求元の端末より受信する、カードホルダ状の健康保険被保険者証に収容されるカード状電子記憶媒体に書き込まれた被保険者識別情報及び該被保険者の資格確認要求に基づいて、該識別情報と紐付けられた保険者の識別情報を被保険者の振り分けテーブルより読み出し、該当する資格確認サーバに対して、資格確認要求を代理発行する手段と、該資格確認要求に対する資格確認結果を受信すると、前記資格確認要求元の端末に対して返信する手段とを具備することを特徴とする。
【００２３】
また、請求項１３に記載の発明は、カードホルダ状の健康保険被保険者証の表示部に表示する被保険者証情報と、前記カードホルダ状の健康保険被保険者証に収容されるカード状電子記憶媒体に書き込まれた識別情報とを紐付けて格納するデータベースと、資格確認要求元の端末より受信する、前記識別情報及び該被保険者の資格確認要求に基づいて、該識別情報と紐付けられた前記被保険者証情報を前記データベースより読み出し、該当する資格確認サーバに対して、資格確認要求を代理発行する手段と、該資格確認要求に対する資格確認結果を受信すると、前記資格確認要求元の端末に対して返信する手段とを具備することを特徴とする。
【発明の効果】
【００２４】
以上説明したように、本発明の健康保険被保険者証発行管理システムは、カードホルダ本体の表示部に表示する被保険者証情報に基づいて、カードホルダ状の健康保険被保険者証を発行する健康保険被保険者証発行手段や健康保険被保険者証発行手段が発行するカードホルダ状の健康保険被保険者証に収容されるＩＣカードに前記被保険者証情報のキー情報を書き込む被保険者証情報書き込み手段を具備するので、健康保険被保険者証、ＩＣカードに書き込むキー情報の発行管理を行うことができる効果を得ることができる。
【発明を実施するための最良の形態】
【００２５】
以下、本発明を実施するための最良の形態について説明する。
【実施例１】
【００２６】
以下、本発明の一実施形態を図１ないし図５に基づいて説明する。図１及び図２に示すＩＣカード１は、本願発明者が特開２００２−２３０１５６号で提案したＩＣカードと同様のものとされ、例えば保険組合などの発行者が発行し、被保険者の記号、番号、氏名、性別、生年月日などの個人情報の他、保険者番号、保険者名、又は、被保険者情報のキー情報などの情報、又は、被保険者証情報のキー情報、さらには使用に基づく履歴（通院履歴、投薬履歴等）についても記憶するようにしている。
【００２７】
また、ＩＣカード１の表面側には、図１に示すように被保険者の氏名や性別など、最低限の個人情報を表示するようにしている。
【００２８】
このＩＣカード１は図１及び図２に示す袋状のカードホルダ本体２に収容可能とされる。カードホルダ本体２は、塩化ビニル、ポリプロピレンなどの合成樹脂材にて形成され、全体可撓性を有するものとされる。略長方形状の袋状とされるカードホルダ本体２は、図２に示すように一辺部側（図１上方側）に開口部３を有してなり、開口部３における表面側と裏面側はその端部の長さを異にしており、裏面側を短く設定するようにしている。表面側の開口部３の長手方向中心には、湾曲された切欠凹部４が備えられ、図３に示すように開口部３からカードホルダ本体２内に矢印方向に挿入し（図４参照）、収容されたＩＣカード１をこの凹部４の部分で保持できるようにしている。すなわちカードホルダ本体２はＩＣカード１が収容された状態において、略開口部３内に収まる程度の袋状に形成される。
【００２９】
略長方形をなすカードホルダ本体２の表面部には、被保険者の記号、番号、氏名、性別、生年月日、保険者番号、保険者名などからなる健康保険の被保険者証としての必要事項が印刷やプリント等の方法により表示される（表面側表示部）。また従来の紙の保険証と同様に発行者の印についてもプリント表示される。
【００３０】
一方、カードホルダ本体２の裏面部には、従来の紙の保険証と同様に交付を受ける被保険者証に対する注意事項と同様の注意事項が同じく印刷やプリント等の方法により表示される（裏面側表示部）。
【００３１】
カードホルダ本体２の表面については、必要に応じて交付を受ける被保険者が住所や氏名を自署することを要求する場合もある。こうした自署した部分や表面に表示された必要事項（氏名、住所等の表示や印の表示）、さらには裏面の注意事項については、使用により摩擦して消去する場合もある。このような消去が生じないようカードホルダ本体２の表面並びに裏面の表示部には、対応する大きさの透明な熱可塑性フィルム５（図５参照）が熱溶着される。熱溶着は、一対の熱ローラ６の間に表裏面にフィルム５を被着したカードホルダ本体２を挿通させて行われる。これにより摩擦により表示が容易に消去されることのないカードホルダ状の健康被保険者証を提供することが可能となる。
【００３２】
このように実施形態に係るカードホルダ状の健康被保険者証によれば、被保険者の記号、番号、氏名、性別、生年月日、保険者番号、保険者名などからなるデータを記憶した例えばＩＣカードを収容する一方で、従来の紙製の被保険者証において目視により確認される被保険者の記号、番号、氏名、性別、生年月日、保険者番号、保険者名など、被保険者としての必要事項を表面に表示する。このように構成することで、ＩＣカード１をその内部に収容して一体に携帯することが可能となり、カードホルダ本体には表面に従来と同様に保険証としての必要事項が記載されるため、永年紙製の保険証に馴れてきた世代においてもカードホルダ本体を保険証として認識し、抵抗なしに受け入れられることが可能となる。
【００３３】
なお、上記実施形態では、カードホルダ本体２に収容されるカードをＩＣカード１としているが、これに限らず、被保険者並びに保険者の情報を記憶させる磁気カード、その他のカード状電子記憶媒体としてもよい。
さらに該カードは住民基本台帳カード、クレジットカードと共用されるものとしてもよい。
【００３４】
以上のように、本発明によれば、従来同様、目視による被保険者個人の必要事項が確認できるとともに、発行主体や責任を明確にした上で、収納するカードに応じて複数の機能を共存させることができるという効果がある。
【００３５】
次に、本発明のカードホルダ状の健康保険被保険者証の発行管理、運用管理を行う被保険者証発行管理システムの一実施形態について、以下、図面を参照して、説明する。図６は、本実施形態の被保険者証発行管理システムの構成を示す構成図である。
本実施形態の被保険者証発行管理システムは、外部ネットワークに対して閉じたメインシステム（被保険者証発行管理システム１００）と、インターネット等の外部ネットワークに対して開いたサブシステム（資格確認システム２００とを専用線（仮想専用線を含む）で接続して構成される。
【００３６】
メインシステムとなる被保険者証発行管理システム１００は、被保険者証発行管理サーバ１０１と、カードホルダ状被保険者証発行機１０２と、ＩＣカードリーダ・ライタ１０３と、被保険者情報データベース（以下、ＤＢとする）１１０と、被保険者証等発行状況管理ＤＢ１１１とから構成される。
被保険者証発行管理サーバ１０１は、カードホルダ状被保険者証発行機１０２、ＩＣカードリーダ・ライタ１０３、及び、被保険者情報ＤＢ１１０、被保険者証等発行状況管理ＤＢ１１１へのデータ入出力制御を行うことで、カードホルダ状の健康保険被保険者証の発行状況及び収容されるＩＣカードへのキー情報の書き込み状況を、自システム（被保険者証発行管理システム１００）内の被保険者証等発行状況管理ＤＢ１１１において管理するとともに、自システムと異なる外部システム（資格確認システム２００）内の資格確認用ＤＢ２１０において、カードホルダ状の健康保険被保険者証の発行状況及び収容されるＩＣカードへのキー情報の書き込み状況に基づく被保険者資格の有効区分を管理する。
【００３７】
カードホルダ状被保険者証発行機１０２は、上述したカードホルダ本体２の発行処理を行うカード発行機であって、被保険者証発行管理サーバ１０１の制御の下、被保険者情報ＤＢ１１０に格納された被保険者の記号、番号、氏名、性別、生年月日、資格取得日からなる被保険者情報を用い、カードホルダ本体２の表示部（図７の表裏を参照）に表示する被保険者証情報の入力に基づく印刷処理、ホルダ作成処理を行い、カードホルダ状の健康保険被保険者証（カードホルダ本体２）を発行する。
【００３８】
ＩＣカードリーダ・ライタ１０３は、上述したＩＣカード１へのデータ読み込み／書き込み処理を行うリーダ・ライタであって、被保険者証発行管理サーバ１０１の制御の下、カードホルダ本体２に収容されるＩＣカード１に被保険者証情報のキー情報を書き込む（後述する）。
被保険者情報ＤＢ１１０は、被保険者情報を格納する記憶装置であって、例えば、図８に示すようなフィールド構成を採用する。図８に示すように、被保険者情報とは、各保険者（例えば保険者Ａ）に加入する被保険者に関する情報（所定の規定により定められたデータＮｏ．、記号・番号、氏名、性別、生年月日、資格取得日、資格喪失日、その他の情報）からなる。
キー情報とは、被保険者情報（記号・番号、氏名、性別、生年月日等）と紐付けられた各ＩＣカード１への情報入力処理（ＩＣカードへの情報入力日）毎にユニークな識別情報であって、被保険者証発行管理サーバ１０１において発行され、被保険者証等発行状況管理ＤＢ１１１において管理される。
【００３９】
被保険者証等発行状況管理ＤＢ１１１は、被保険者情報ＤＢ１１０に格納される被保険者情報をマスタとするレプリカデータに加え、被保険者証の発行状況として、被保険者証の発行日、及び、被保険者証有効期限が格納される。また、ＩＣカード１にキー情報を書き込んだ場合は、さらに、ＩＣカードへのデータ入力状況としてキー情報及びキー情報書き込み日が格納される。
【００４０】
被保険者証の発行状況、ＩＣカードへのデータ入力状況は、図９〜図１１の３パターンに分類される。
(ア)                            新規に被保険者証のみを発行する
(イ)                            新規に被保険者証（カードホルダ本体２）を発行するとともに、ＩＣカード１にもキー情報を書き込む
(ウ)                            他保険者にて既にＩＣカードにそのキー情報を書き込んでいる人が保険者を異動し、新たに被保険者となる場合、旧被保険者証は旧保険者に返却されるが、ＩＣカードに残る旧保険者のキー情報は、そのままとし、新しい保険者にて新しいキー情報を追加書き込みする
【００４１】
サブシステムとなる資格確認システム２００は、各保険者の資格確認サーバ２０１と各保険者の資格確認用データベース２１０から構成され、インターネット３００を介して、各医療機関の資格確認端末３０１と接続される。
資格確認サーバ２０１は、被保険者証の表記のうち、必要な情報の入力によって、若しくは、ＩＣカード１に書き込まれるキー情報によって、資格確認用データベース２１０を検索し、被保険者資格の有効／無効を判定し、資格確認結果を返すサーバである。
【００４２】
資格確認用データベース２１０は、被保険者証等発行状況管理ＤＢ１１１に格納される被保険者情報をマスタとするレプリカデータであって、少なくとも、各保険者に加入する被保険者のキー情報、記号・番号、氏名等の被保険者識別情報等の被保険者資格の有効／無効を判定するのに必要なデータからなる。
資格有効・無効の判定は、被保険者の保険者への加入資格が有効であるか無効であるかを示し、資格確認対象日時が資格取得日から資格喪失日の間に該当し、かつ、被保険者証の有効期限内であれば有効と判定し、資格確認対象日時が資格喪失日を経過している場合、又は、被保険者証の有効期限を超過している場合は無効と判定される。
資格確認端末３０１は、インターネット３００等の外部ネットワークを各医療機関において、被保険者証のみが発行されている場合は、その表記のうち、必要な情報の入力に基づき、また、キー情報を書き込んだＩＣカードを利用する場合は、カードリーダによって読み取られるＩＣカードのキー情報に基づいて、資格確認要求を資格確認サーバ２０１に対して行う通信端末である。
【００４３】
次に、図面を参照して、本実施形態の被保険者証発行管理システムの動作について説明する。図１２は、本実施形態の被保険者証発行管理システムによる被保険者証の発行管理／運用処理の過程を示すフローチャートである。
今、各保険者において、新規に被保険者証を発行する場合、被保険者の新規加入手続きにより（図１２のステップＳ１）、所定の記号、番号や氏名、生年月日等を被保険者情報ＤＢ１１０に登録する（ステップＳ２）。
被保険者証発行管理システム１００において、被保険者証発行管理サーバ１０１は、被保険者情報ＤＢ１１０への新規加入者の被保険者情報が登録されたことを受けて、カードホルダ状被保険者証発行機１０２に対して、被保険者証の発行命令とともに、この被保険者情報を出力する。
【００４４】
カードホルダ状被保険者証発行機１０２は、入力する被保険者情報と、予め設定された法規表示事項とに基づいて、内部に収容しているカードホルダ本体２に印刷し、被保険者に対して、カードホルダ状被保険者証を発券する（ステップＳ４）。
また、被保険者証発行管理サーバ１０１は、被保険者証等発行状況管理ＤＢ１１１に、被保険者情報ＤＢ１１０に格納される被保険者情報をマスタとするレプリカデータとしての被保険者情報に加え、被保険者証の発行状況を書き込む（ステップＳ５）。
そして、被保険者証発行管理サーバ１０１は、資格確認サーバ２０１を介して、資格確認システム２００内の資格確認ＤＢ２１０に、被保険者証等発行状況管理ＤＢ１１１に格納される被保険者情報をマスタとするレプリカデータとして、被保険者情報を書き込む（ステップＳ６）。
【００４５】
被保険者が医療機関で受診の際に、受領したカードホルダ状被保険者証を提示した場合（ステップＳ１０）、資格確認端末３０１は、入力される被保険者識別情報を検索キーとして、該当する資格確認サーバ２０１に資格確認要求を送信する（ステップＳ１１）。
資格確認サーバ２０１は、資格確認要求とともに検索キーを受信すると、資格確認用ＤＢ２１０を検索し、該当する被保険者の資格の有効／無効を判定し、資格確認結果として資格確認端末３０１に返信する（ステップＳ１２）。
資格確認端末３０１は、資格確認結果を受信すると、被保険者の資格有効／無効の判定結果を表示部に表示する（ステップＳ１３）。
【００４６】
したがって、本実施形態の被保険者証発行管理システムによれば、各保険者において、カードホルダ状被保険者証を発行管理することが出来るとともに、外部システムである資格確認システム内のデータも合わせて最新の情報に管理することが出来る効果が得られる。
【００４７】
次に、上述した新規加入手続き時において、ＩＣカード１にキー情報を書き込む場合（ステップＳ２０）は、カードホルダ状被保険者証の発券に加えて、以下の手順が加わる。
被保険者証発行管理サーバ１０１は、ＩＣカード１への情報入力処理（ＩＣカードへの情報入力日）毎に、被保険者情報（記号、番号、氏名、生年月日等）と紐付けられたキー情報を発行し、ＩＣカードリーダ・ライタ１０３に出力する。
ＩＣカードリーダ・ライタ１０３は、カードホルダ本体２に収容されるＩＣカード１（例えば、住基カード等の他主体発行のＩＣカード（ＲＦ−ＩＤカード等））に、入力される被保険者証情報のキー情報を書き込む（ステップＳ２１）。このとき、既にＩＣカードに旧保険者で書き込まれた古いキー情報が存在する場合でも、新たに新しいキー情報を発行し、追加で書き込む。
そして、ＩＣカードリーダ・ライタ１０３は、キー情報書き込み済みのＩＣカード１を被保険者に対して発券する（ステップＳ２２）。
【００４８】
また、被保険者証発行管理サーバ１０１は、被保険者証等発行状況管理ＤＢ１１１に、ＩＣカードへのデータ入力状況として、ＩＣカードに書き込んだキー情報及び書き込み日を書き込む（ステップＳ２３）。
そして、被保険者証発行管理サーバ１０１は、資格確認サーバ２０１を介して、資格確認システム２００内の資格確認ＤＢ２１０に被保険者情報に加え、さらに、該当する被保険者のキー情報を書き込む（ステップＳ２４）。
【００４９】
被保険者が医療機関で受診の際に、受領したキー情報書き込み済みのＩＣカード１を収容するカードホルダ状被保険者証を提示した場合（ステップＳ３０）、資格確認端末３０１は、ＩＣカード１に書き込まれたキー情報を読み取って、これを検索キーとして、該当する資格確認サーバ２０１に資格確認要求を送信する（ステップＳ３１）。
したがって、ＩＣカードに複数のキー情報がある場合であっても、最も新しいキー情報を読み取ることで、最新の保険者の資格確認サーバにアクセスすることが出来る。
資格確認サーバ２０１は、資格確認要求とともに検索キー（キー情報）を受信すると、資格確認用ＤＢ２１０を検索し、該当する被保険者の資格有効／無効を判定して、資格確認結果として資格確認端末３０１に返信する（ステップＳ３２）。
資格確認端末３０１は、資格確認結果を受信すると、被保険者の資格有効／無効の判定結果を表示部に表示する（ステップＳ３３）。
【００５０】
したがって、本実施形態の被保険者証発行管理システムによれば、各保険者において、カードホルダ状被保険者証の発行管理及びＩＣカードへのキー情報の書き込み管理が出来るとともに、外部システムである資格確認システム内のデータも合わせて最新の情報に管理することが出来る効果が得られる。
【実施例２】
【００５１】
次に、本発明のカードホルダ状の健康保険被保険者証の発行管理、運用管理を行う被保険者証発行管理システムの第２の実施形態について、以下、図面を参照して、説明する。図１３は、第２の実施形態の被保険者証発行管理システムの構成を示す構成図である。
本実施形態の被保険者証発行管理システムは、被保険者が複数の保険者間を異動することにより、保険者が変更になる（旧保険者システムから新保険者システムへの移行）場合も、ＩＣカードに書き込んだキー情報はこのまま新しい保険者に引き継がれることを想定したものであり、第1の実施形態における被保険者証発行管理システムと以下の点で異なる。
すなわち、第２の実施形態の被保険者証発行管理システムは、第1の実施形態の被保険者証発行管理システムと同様に、被保険者証発行管理システム１００と、資格確認システム２００とを専用線で接続して構成されるが、資格確認システム２００において、さらに、資格確認要求時に受信する被保険者識別情報から対象保険者を識別する振り分けサーバ４０１と振り分け用ＤＢ４１０を有している点が異なる。
【００５２】
振り分けサーバ４０１は、インターネット等の外部ネットワーク３００を介して、資格確認サーバ２０１、資格確認端末３０１と接続され、専用線を介して、被保険者証発行管理サーバ１０１と接続される。振り分けサーバ４０１は、資格確認端末３０１より受信する資格確認要求及び被保険者識別情報（被保険者証の表記のうち、必要な情報、または、ＩＣカード１に書き込まれたキー情報）に基づいて、この被保険者識別情報と紐付けられた保険者の識別情報（資格確認サーバ２０１のＩＰアドレス等）を振り分け用ＤＢ４１０に格納される被保険者の振り分けテーブルより読み出して、該当する資格確認サーバ２０１に対して、資格確認要求を代理発行する。
振り分け用ＤＢ４１０は、被保険者証等発行状況管理ＤＢ１１１に格納される被保険者情報のうち、キー情報等の被保険者識別情報と、これに紐付けられた保険者の識別情報（資格確認サーバ２０１のＩＰアドレス等）との対応関係を示す振り分けテーブルを格納する。
【００５３】
次に、図面を参照して、本実施形態の被保険者証発行管理システムの動作について説明する。図１４は、本実施形態の被保険者証発行管理システムによる被保険者証の発行管理／運用処理の過程を示すフローチャートである。
今、各保険者において、新規に被保険者証を発行する場合、被保険者の新規加入手続きにより（図１４のステップＳ４０）、被保険者情報を被保険者情報ＤＢ１１０へ書き込むとともに（ステップＳ４１）、被保険者証を発行し（ステップＳ４２、Ｓ４３）、発行状況を被保険者証等発行状況管理ＤＢ１１１、資格確認用ＤＢ２１０に書き込む（ステップＳ４４、Ｓ４５）。
【００５４】
被保険者が医療機関で受診の際に、受領したカードホルダ状被保険者証を提示した場合（ステップＳ５０）、資格確認端末３０１は、入力される被保険者証の表示内容（保険者名、被保険者証番号等）を検索キーとして、振り分けサーバ４０１に資格確認要求を送信する（ステップＳ５１）。
振り分けサーバ４０１は、資格確認要求とともに検索キーを受信すると、該当する保険者の資格確認サーバ２０１に対して、受信した検索キーとともに資格確認要求を送信する（ステップＳ５２）。
資格確認サーバ２０１は、資格確認要求とともに検索キーを受信すると、資格確認用ＤＢ２１０を検索し、該当する被保険者の資格有効／無効を判定して、資格確認結果として振り分けサーバ４０１に返信する（ステップＳ５３）。
振り分けサーバ４０１は、資格確認結果を受信すると、要求元の資格確認端末３０１に対して返信する（ステップＳ５４）。資格確認端末３０１は、資格確認結果を受信すると、被保険者の資格有効／無効の判定結果を表示部に表示する（ステップＳ５５）。
【００５５】
したがって、本実施形態の被保険者証発行管理システムによれば、各保険者において、カードホルダ状被保険者証を発行管理することが出来るとともに、外部システムである資格確認システム内のデータも合わせて最新の情報に管理することが出来る効果が得られる。
【００５６】
次に、上述した新規加入手続き時において、ＩＣカード１にキー情報を書き込む場合（ステップＳ６０）は、カードホルダ状被保険者証の発行に加えて、以下の手順が加わる。被保険者証発行管理サーバ１０１は、ＩＣカードリーダ・ライタ１０３を制御して、カードホルダ本体２に収容されるＩＣカード１に、被保険者証情報のキー情報を書き込んで（ステップＳ６１）、被保険者に対して発券する（ステップＳ６２）。
【００５７】
また、被保険者証発行管理サーバ１０１は、被保険者証等発行状況管理ＤＢ１１１にＩＣカードへのデータ入力状況として、ＩＣカードに書き込んだキー情報及びその書き込み日を書き込む（ステップＳ６３）。このとき、他保険者にて既にＩＣカード１にキー情報が書き込まれている場合は、そのキー情報を引き継ぐことから、新たなキー情報の発行は行わず、そのキー情報を読み込み、被保険者証等発行状況管理ＤＢ１１１に書き込む。また、被保険者証発行管理サーバ１０１は、資格確認サーバ２０１を介して、資格確認システム２００内の資格確認ＤＢ２１０にも、同様に、該当する被保険者のキー情報等の被保険者識別情報を書き込む（ステップＳ６４）。
【００５８】
そして、被保険者証発行管理サーバ１０１は、振り分けサーバ４０１を介して、振り分けＤＢ４１０にも、同様に、被保険者のキー情報等の被保険者識別情報を各保険者の識別情報と紐付けて書き込む（ステップＳ６５、Ｓ６６）。
振り分けＤＢ４１０へ被保険者識別情報を登録する場合、新たに書き込み要求があった被保険者のキー情報が既に記憶されている振り分けテーブルにおいて、他の保険者と紐付けられている場合、振り分けサーバ４０１は、当該既登録の被保険者データを削除するとともに、削除対象の被保険者と紐付けられている保険者（旧保険者）のシステムに対して、当該被保険者の異動を通知する（ステップＳ６７）。
異動通知のあった旧保険者のシステムは、新規登録の被保険者に関する新保険者への異動通知を受信し、自システム内の被保険者情報ＤＢ１１０の資格喪失日フィールドを更新する（ステップＳ６８）。
【００５９】
被保険者が医療機関で受診の際に、受領したＩＣカード１を収容するカードホルダ状被保険者証を提示した場合（ステップＳ７０）、資格確認端末３０１は、ＩＣカード１に書き込まれたキー情報を読み取って、これを検索キーとして、振り分けサーバ４０１に資格確認要求を送信する（ステップＳ７１）。
振り分けサーバ４０１は、資格確認要求とともに検索キー（キー情報）を受信すると、振り分け用ＤＢ４１０を検索し、該当する保険者の識別情報（資格確認サーバ２０１のＩＰアドレス等）を被保険者の振り分けテーブルより読み出し、受信した検索キー（キー情報）とともに資格確認要求を送信する（ステップＳ７２）。
資格確認サーバ２０１は、資格確認要求とともに検索キー（キー情報）を受信すると、資格確認用ＤＢ２１０を検索し、該当する被保険者の資格有効／無効を判定して、資格確認結果として振り分けサーバ４０１に返信する（ステップＳ７３）。
振り分けサーバ４０１は、資格確認結果を受信すると、要求元の資格確認端末３０１に対して返信する（ステップＳ７４）。資格確認端末３０１は、資格確認結果を受信すると、被保険者の資格有効／無効の判定結果を表示部に表示する（ステップＳ７５）。
【００６０】
したがって、本実施形態の被保険者証発行管理システムによれば、各保険者において、カードホルダ状被保険者証の発行管理及びＩＣカードへのキー情報の書き込み管理が出来るとともに、外部システムである資格確認システム内のデータも合わせて最新の情報に管理することが出来る効果が得られる。
また、本実施形態の被保険者証発行管理システムによれば、毎回保険者が新しいキー情報を発行する必要がなく、一旦、個人にキー情報が割り当てられると、それを引き続き使用することが出来る効果が得られる。
【実施例３】
【００６１】
次に、本発明のカードホルダ状の健康保険被保険者証の発行管理、運用管理を行う被保険者証発行管理システムの第３の実施形態について、以下、図面を参照して、説明する。図１６は、第３の実施形態の被保険者証発行管理システムの構成を示す構成図である。
本実施形態の被保険者証発行管理システムは、ＩＣカード１とカードホルダ本体２の発行管理主体が異なり、個人を特定するキー情報が既に書き込まれたＩＣカードが各個人に配布されている場合を想定したものであり、第１、２の実施形態における被保険者証発行管理システムと以下の点で異なる。
すなわち、第３の実施形態の被保険者証発行管理システムは、第1の実施形態の被保険者証発行管理システムと同様に、被保険者証発行管理システム１００と、資格確認システム２００とを専用線で接続して構成されるが、資格確認システム２００において、さらに、キー情報を被保険者証情報のキー情報としてではなく、個人を特定するキー情報とし、この個人のキー情報と被保険者証情報とを一元管理するキー情報管理サーバ５０１とキー情報／被保険者番号等管理ＤＢ５１０とから構成されるキー情報管理システム５００を有している点が異なる。
【００６２】
キー情報管理サーバ５０１は、振り分けサーバ４０１と同様に、インターネット等の外部ネットワーク３００を介して、資格確認サーバ２０１、資格確認端末３０１と接続されているが、被保険者証発行管理サーバ１０１とは接続されて居ない点で振り分けサーバ４０１と異なる。
また、キー情報管理サーバ５０１は、キー情報／被保険者番号等管理ＤＢ５１０を有しており、資格確認端末３０１より受信する、識別情報（被保険者証の表記のうち、必要な情報、または、ＩＣカード１に書き込まれたキー情報）及び被保険者の資格確認要求に基づいて、被保険者識別情報と紐付けられた被保険者証情報（保険者名、被保険者番号等）をキー情報／被保険者番号等管理ＤＢ５１０より読み出し、該当保険者の資格確認サーバ２０１に対して、資格確認要求を代理発行するとともに、資格確認要求に対する資格確認結果を受信すると、資格確認端末３０１に対して返信する。
キー情報／被保険者番号等管理ＤＢ５１０は、カードホルダ状の健康保険被保険者証（カードホルダ本体２）の表示部に表示する被保険者証情報（保険者名、被保険者証番号等）と、カードホルダ状の健康保険被保険者証に収容されるＩＣカード１に書き込まれた識別情報とを紐付けて格納する。
【００６３】
次に、図面を参照して、本実施形態の被保険者証発行管理システムの動作について説明する。図１７は、本実施形態の被保険者証発行管理システムによって発行管理された被保険者証情報と、資格確認システムにおいて利用するＩＣカード１に書き込まれたキー情報との紐付けを常に最新の状態に管理するための情報管理の運用処理の過程を示すフローチャートである。
今、ＩＣカード１を使用せず、カードホルダ状の健康保険被保険者証に基づいて、資格確認を行う場合、被保険者が医療機関で受診の際に、受領したカードホルダ状被保険者証を提示すると（ステップＳ８０）、資格確認端末３０１は、入力される被保険者証の表示内容（保険者名、被保険者証番号等）を検索キーとして、キー情報管理サーバ５０１に資格確認要求を送信する（ステップＳ８１）。
キー情報管理サーバ５０１は、資格確認要求とともに検索キーを受信すると、該当する保険者の資格確認サーバ２０１に資格確認要求を送信する（ステップＳ８２）。
資格確認サーバ２０１は、資格確認要求とともに検索キーを受信すると、資格確認用ＤＢ２１０を検索し、該当する被保険者の資格有効／無効を判定して、資格確認結果としてキー情報管理サーバ５０１に返信する（ステップＳ８３）。
キー情報管理サーバ５０１は、資格確認結果を受信すると、要求元の資格確認端末３０１に対して返信する（ステップＳ８４）。資格確認端末３０１は、資格確認結果を受信すると、被保険者の資格有効／無効の判定結果を表示部に表示する（ステップＳ８５）。
【００６４】
次に、キー情報と保険者名、被保険者証番号等がキー情報／被保険者番号等管理ＤＢ５１０において、予め紐付けされている場合、キー情報管理サーバ５０１は、ＩＣカードに書き込まれたキー情報に基づいて、保険者名、被保険者証番号等を特定し、それらの情報を検索キーとして、該当する保険者の資格サーバ２０１にアクセスして資格確認を行う。このとき、資格確認端末では、資格確認が行われた保険者名、被保険者証番号等が表示され、その結果が表示される。
すなわち、被保険者が医療機関で受診の際に、受領したＩＣカード１を収容するカードホルダ状被保険者証を提示した場合（ステップＳ９０）、資格確認端末３０１は、ＩＣカード１に書き込まれたキー情報を読み取って、これを検索キーとして、キー情報管理サーバ５０１に資格確認要求を送信する（ステップＳ９１）。
キー情報管理サーバ５０１は、資格確認要求とともに検索キー（キー情報）を受信すると、キー情報／被保険者番号等管理ＤＢ５１０を検索し、該当する保険者名、被保険者番号等を読み出し、それらの情報を検索キーとして、該当する保険者の資格確認サーバ２０１に資格確認要求を送信する（ステップＳ９２〜Ｓ９４）。
資格確認サーバ２０１は、資格確認要求とともに検索キー（被保険者番号等）を受信すると、資格確認用ＤＢ２１０を検索し、該当する被保険者の資格有効／無効を判定して、資格確認結果としてキー情報管理サーバ５０１に返信する（ステップＳ９５）。
キー情報管理サーバ５０１は、資格確認結果を受信すると、要求元の資格確認端末３０１に対して返信する（ステップＳ９６）。資格確認端末３０１は、資格確認結果を受信すると、被保険者の資格有効／無効の判定結果を資格確認を行った保険者名、被保険者番号とともに表示部に表示する（ステップＳ９７）。
【００６５】
次に、キー情報と保険者名、被保険者証番号等との新規紐付け登録又は、紐付けられている保険者名、被保険者証番号等の変更が必要な場合、キー情報と保険者名、被保険者証番号等との新規紐付け登録や、保険者を異動した際の紐付けデータの変更登録は、資格確認端末３０１より行う。その際、キー情報管理サーバ５０１は、被保険者証の表示による資格確認が行われた後、新規（変更）登録を行う。
具体的には、本人からの申告又は、ＩＣカードから読み取られたキー情報を元に資格確認が行われた結果（登録なしが判明又は、資格の有効／無効に関わらず資格確認端末画面で被保険者証の表示とは異なる保険者の情報が表示された場合）により、キー情報と保険者名、被保険者証番号等との新規紐付けや、紐付けられている保険者名、被保険者証番号等の変更が必要な場合、被保険者証の表示により資格確認端末から資格確認を行った後、当該キー情報と保険者名、被保険者証番号等との新規紐付け登録又は、紐付けられている保険者名、被保険者証番号等の変更（キー情報／被保険者番号等管理ＤＢに新規登録又は変更登録）が行われる。
【００６６】
すなわち、図１８に示すフローチャートにおいて、被保険者が医療機関で受診の際に、キー情報が書き込まれたＩＣカード１を収容するカードホルダ状被保険者証を提示した場合（ステップＳ１００）、資格確認端末３０１は、入力される被保険者証の表示内容（保険者名、被保険者証番号等）を検索キーとして、キー情報管理サーバ５０１に資格確認要求を送信する（ステップＳ１０１）。
キー情報管理サーバ５０１は、資格確認要求とともに検索キー（保険者名、被保険者章番号等）を受信すると、該当する保険者の資格確認サーバ２０１に資格確認要求を送信する（ステップＳ１０２）。
資格確認サーバ２０１は、資格確認要求とともに検索キーを受信すると、資格確認用ＤＢ２１０を検索し、該当する被保険者の資格有効／無効を判定して、資格確認結果としてキー情報管理サーバ５０１に返信する（ステップＳ１０３）。
キー情報管理サーバ５０１は、資格確認結果を受信すると、要求元の資格確認端末３０１に対して返信する（ステップＳ１０４）。
資格確認端末３０１は、資格確認結果を受信すると、被保険者の資格有効／無効の判定結果を表示部に表示する（ステップＳ１０５）。ここで、被保険者の資格が有効であることが確認されると、資格確認端末３０１は、キー情報管理サーバ５０１に保険者名、被保険者証番号等の情報と、ＩＣカードに書き込まれているキー情報とともに、新規（変更）登録要求を送信する（ステップＳ１０６）。
キー情報管理サーバ５０１は、保険者名、被保険者証番号等の情報と、キー情報とを受信すると、キー情報／被保険者番号等管理ＤＢ５１０に新規（変更）登録情報を書き込む（ステップＳ１０７、Ｓ１０８）
【００６７】
したがって、本実施形態においては、各保険者ではＩＣカード１に書き込まれるキー情報の管理は不要となり、カードホルダ状被保険者証の発行管理及び資格確認システム内の被保険者情報のみ管理すればよいため、資格確認を効率的に行うためのＩＣカードやそれに書き込むキー情報の管理は一切不要となる効果が得られる。
また、保険者が変更になった場合や新規登録の場合でも、医療機関で行なわれる受診の際の資格確認端末による資格確認行為の中で、この変更登録や新規登録が可能となり、保険者により発行された被保険者証情報と、ＩＣカードに書き込まれた個人を特定するキー情報との紐付けを常に最新の情報に保つことができる効果が得られる。
【００６８】
以上、本発明の実施形態について詳述したが、上記実施形態は、それぞれキー情報の発行者が
・各保険者毎に発行
・一元管理発行
のいずれの形態であるか、及び、キー情報の扱いとして、
・キー情報の新規発行を認める
・個人固有のキー情報を継続使用する
のいずれの形態であるかによって分類される。すなわち、実施形態１は、複数の保険者毎にキー情報を発行し、キー情報の新規発行を認める場合であり、実施形態２は、複数の保険者毎にキー情報を発行し、個人固有のキー情報を継続使用する場合であり、実施形態３は、キー情報を一元管理発行し、個人固有のキー情報を継続使用する場合である。
そして、これらそれぞれの実施形態により、カードホルダ状の保険者証に表示される情報とＩＣカードに書き込まれるキー情報の整合性を取ることが出来る効果が得られる。
【００６９】
上述の被保険者証発行管理サーバ１０１、資格確認サーバ２０１、資格確認端末３０１、振り分けサーバ４０１、キー情報管理サーバ５０１は、内部に、コンピュータシステムを有している。
そして、上述した被保険者証発行管理処理に関する一連の処理の過程は、プログラムの形式でコンピュータ読み取り可能な記録媒体に記憶されており、このプログラムをコンピュータが読み出して実行することによって、上記処理が行われる。
すなわち、被保険者証発行管理サーバ１０１、資格確認サーバ２０１、資格確認端末３０１、振り分けサーバ４０１における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００７０】
【図１】カードホルダ本体にＩＣカードを挿入する状態を示す正面図である。
【図２】カードホルダ本体の背面側を示し、同じくＩＣカードを挿入する状態を示す背面図である。
【図３】同じくＩＣカードを挿入し、収容したカードホルダ本体の背面図である。
【図４】図１のＩＶ−ＩＶ線に沿う断面図である。
【図５】カードホルダ本体の表面並びに裏面に熱可塑性フィルムを熱溶着する状態を示す断面図である。
【図６】被保険者証発行管理システムの構成図である。
【図７】被保険者証の印刷例を示す図である。
【図８】被保険者情報ＤＢの構成図である。
【図９】被保険者証とＩＣカードとを新規に発券する場合の発券形態である。
【図１０】被保険者証のみを発券する場合の発券形態である。
【図１１】被保険者証を回収、再発行し、ＩＣカードを更新する場合の発券形態である。
【図１２】被保険者証の発行管理／運用の流れを示すフローチャートである。
【図１３】第２実施形態の被保険者証発行管理システムの構成図である。
【図１４】第２実施形態における被保険者証の発行管理／運用の流れを示すフローチャートである。
【図１５】第２実施形態における被保険者証の発行管理／運用の流れを示すフローチャートである。
【図１６】第３実施形態の被保険者証発行管理システムの構成図である。
【図１７】第３実施形態におけるキー情報管理の流れを示すフローチャートである。
【図１８】第３実施形態におけるキー情報管理の流れを示すフローチャートである。
【符号の説明】
【００７１】
１…ＩＣカード
２…カードホルダ本体
３…開口部
４…切欠凹部
５…フィルム
６…熱ローラ
１００…被保険者証発行管理システム
１０１…被保険者証発行管理サーバ
１０２…カードホルダ状被保険者証発行機
１０３…ＩＣカードリーダ・ライタ
１１０…被保険者情報ＤＢ
１１１…被保険者証等発行状況管理ＤＢ
２０１…資格確認サーバ
２１０…資格確認用ＤＢ
３００…インターネット
３０１…資格確認端末
４０１…振り分けサーバ
４１０…振り分けＤＢ
５０１…キー情報管理サーバ
５１０…キー情報／被保険者番号等管理ＤＢ
【図１】
2004181937.tif 000003
【図２】
2004181937.tif 000004
【図３】
2004181937.tif 000005
【図４】
2004181937.tif 000006
【図５】
2004181937.tif 000007
【図６】
2004181937.tif 000008
【図７】
2004181937.tif 000009
【図８】
2004181937.tif 000010
【図９】
2004181937.tif 000011
【図１０】
2004181937.tif 000012
【図１１】
2004181937.tif 000013
【図１２】
2004181937.tif 000014
【図１３】
2004181937.tif 000015
【図１４】
2004181937.tif 000016
【図１５】
2004181937.tif 000017
【図１６】
2004181937.tif 000018
【図１７】
2004181937.tif 000019
【図１８】
2004181937.tif 000020